【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
薬剤内容物を収容し、薬瓶ストッパによって栓をされる薬瓶開口部を有する薬瓶ボトルを備える薬瓶とともに使用するための液剤移送アセンブリであって、
（ａ）前記薬瓶ストッパを穿刺するための薬瓶ストッパ穿刺先端を有する薬瓶ストッパ穿刺部材と、
（ｂ）長手方向の薬瓶アダプタ軸線を有する薬瓶アダプタと
を備え、
前記薬瓶アダプタは、薬瓶アダプタスカートと薬瓶アダプタスリーブとを備え、
前記薬瓶アダプタスカートは、直立した薬瓶アダプタポートを有して形成された横方向に向けられた薬瓶アダプタ頂面と、前記薬瓶開口部を密接に受け入れるための薬瓶アダプタ本体部分と、前記薬瓶アダプタ頂面から離れた薬瓶アダプタスカート縁部と、を有し、
前記薬瓶アダプタスリーブは、前記薬瓶アダプタ頂面から前記直立した薬瓶アダプタポートと反対側に垂下しており、該直立した薬瓶アダプタポートと流れ連通し、
前記薬瓶アダプタは、前記薬瓶ストッパ穿刺先端が前記薬瓶アダプタスリーブを越えて突出するように、前記薬瓶ストッパ穿刺部材に摺動的に配置され、
前記配置は、前記液剤移送アセンブリを前記薬瓶に取り付けた際に、前記薬瓶ストッパ穿刺部材が前記薬瓶ストッパを穿刺して貫通穿刺穴を形成し、前記薬瓶アダプタスリーブが前記穿刺穴と直線上に並ぶような配置であり、それによって、前記薬瓶ストッパ穿刺部材を前記穿刺穴から引き抜く際に前記薬瓶アダプタスリーブが前記薬瓶ストッパの自己シールを防止し、それによって、前記薬瓶アダプタポートと前記薬瓶ボトルとの間の流れ連通を可能にする
液剤移送アセンブリ。
【請求項２】
請求項１に記載のアセンブリであって、
前記薬瓶アダプタスカートと前記薬瓶アダプタポートと前記薬瓶アダプタスリーブとは、同一のプラスチック材料によってプラスチック射出成形された単一のユニットとして形成された
アセンブリ。
【請求項３】
請求項１に記載のアセンブリであって、
前記薬瓶アダプタスリーブは、前記薬瓶アダプタスカートに取り付けられ、該薬瓶アダプタスカートとは異なる材料によって形成された
アセンブリ。
【請求項４】
請求項１ないし請求項３のいずれか一項に記載のアセンブリであって、
前記薬瓶ストッパ穿刺部材は、前記薬瓶ストッパの前記穿刺の際に前記薬瓶ボトルへの流れ連通アクセスを可能にするための、液剤アクセスポートと長手方向内腔とを備える
アセンブリ。
【請求項５】
請求項４に記載のアセンブリであって、
前記薬瓶ストッパ穿刺部材は、インラインフィルタを備える
アセンブリ。
【請求項６】
前記薬剤内容物に添加して液剤内容物を形成するための液体内容物を収容し、液瓶ストッパによって栓をされる液瓶開口部を有する液瓶ボトルを備えた液瓶とともに追加的に使用するための請求項１ないし請求項３のいずれか一項に記載のアセンブリであって、
前記薬瓶ストッパ穿刺部材は、液瓶アダプタと一体的に形成された２端部２内腔線形移送スパイクとして形成され、
前記液瓶アダプタは、横方向に向けられた液瓶アダプタ頂面と、前記液瓶開口部を密接に受け入れるための液瓶アダプタ本体部分と、を有する液瓶アダプタスカートを備え、
前記２端部２内腔線形移送スパイクは、前記薬瓶ストッパ穿刺部材と反対側に液瓶ストッパ穿刺部材を備え、
前記液瓶ストッパ穿刺部材は、前記液瓶アダプタを前記液瓶に取り付ける際に前記液瓶ストッパを穿刺するための液瓶ストッパ穿刺先端を有し、それによって、前記液瓶アダプタを前記薬瓶アダプタから取り外した際に投与するために液剤内容物を前記薬瓶内に形成するために、最上部の液瓶と最下部の薬瓶との直立した組立体を形成する際に、前記液瓶から前記薬瓶までの重力による液体内容物の流れと、前記薬瓶から前記液瓶までの空気の流れと、を同時に可能にする
アセンブリ。
【請求項７】
前記薬剤内容物に添加して液剤内容物を形成するための液体内容物を収容し、液瓶ストッパによって栓をされる液瓶開口部を有する液瓶ボトルを備えた液瓶とともに追加的に使用するための請求項１ないし請求項３のいずれか一項に記載のアセンブリであって、
前記薬瓶ストッパ穿刺部材は、長手方向軸線を有する２端部２内腔線形移送スパイクの一方の端部として形成され、
前記薬瓶ストッパ穿刺部材は、
ｉ）前記液瓶ストッパを穿刺するための液瓶ストッパ穿刺先端を有する、反対方向に向けられた液瓶ストッパ穿刺部材と、
ｉｉ）前記線形移送スパイクに固定的に取り付けられた、横方向に向けられた離隔カラーと、
ｉｉｉ）前記離隔カラーに取り付けられ、前記薬瓶ストッパ穿刺部材から離れて該薬瓶ストッパ穿刺部材と同一方向に延在する、長手方向に向けられた少なくとも２つの薬瓶脚部と、
を備え、
前記少なくとも２つの薬瓶脚部は、前記薬瓶ストッパ穿刺先端とともに延在する薬瓶脚部先端であって、前記薬瓶ストッパ穿刺先端に向けて内側に突出する薬瓶脚部先端のところで終端し、
前記アセンブリは、さらに、
ｉｖ）前記離隔カラーに取り付けられ、前記液瓶ストッパ穿刺部材から離れて該液瓶ストッパ穿刺部材と同一方向に延在する、長手方向に向けられた少なくとも２つの液瓶脚部
を備え、
前記少なくとも２つの液瓶脚部は、前記液瓶ストッパ穿刺先端とともに延在する液瓶脚部先端であって、前記液瓶ストッパ穿刺先端に向けて内側に突出する液瓶脚部先端のところで終端し、
前記薬瓶アダプタは、前記薬瓶アダプタ頂面が前記離隔カラーに向けられるとともに、前記薬瓶アダプタスカート縁部が前記離隔カラーから離れた状態で、前記薬瓶ストッパ穿刺部材に摺動的に取り付けられ、
前記薬瓶アダプタスカートは、前記薬瓶アダプタスカート縁部が前記薬瓶ストッパ穿刺先端からよりも前記離隔カラーから遠くなるように、最初に前記薬瓶アダプタを前記離隔カラーから間隔を隔てさせるために最初に前記薬瓶脚部先端を受け入れるための複数の薬瓶脚部先端孔を有し、それによって、前記薬瓶アダプタスカートは、前記薬瓶アダプタ本体部分の前記薬瓶開口部を包み込むために、前記薬瓶アダプタを前記離隔カラーに向けて摺動させる際に前記薬瓶開口部上に乗り、前記薬瓶ストッパ穿刺部材は、前記薬瓶ボトルとの流れ連通のために前記薬瓶ストッパを穿刺し、前記薬瓶脚部先端は、前記薬瓶アダプタスカートに沿って前記薬瓶アダプタスカート縁部に向けて摺動し、
前記アセンブリは、さらに、
（ｃ）液瓶アダプタスカートを有する液瓶アダプタを備え、
前記液瓶アダプタスカートは、前記液瓶開口部を密接に受け入れるための液瓶アダプタ本体部部分と、液瓶アダプタスカート縁部と、ともに形成された液瓶アダプタ頂面であって、横方向に向けられた液瓶アダプタ頂面を有し、
前記液瓶アダプタは、前記液瓶アダプタ頂面が前記離隔カラーに向けられるとともに、前記液瓶アダプタスカート縁部が前記離隔カラーから離れた状態で、前記液瓶ストッパ穿刺部材に摺動的に配置され、
前記液瓶アダプタスカートは、前記液瓶アダプタスカート縁部が前記液瓶ストッパ穿刺先端からよりも前記離隔カラーから遠くなるように、最初に前記液瓶アダプタを前記離隔カラーから間隔を隔てさせるために最初に前記液瓶脚部先端を受け入れるための複数の液瓶脚部先端孔を有し、それによって、前記液瓶アダプタスカートは、前記液瓶アダプタ本体部分の前記液瓶開口部を包み込むために、前記液瓶アダプタを前記離隔カラーに向けて摺動させる際に前記液瓶開口部上に乗り、前記液瓶ストッパ穿刺部材は、前記液瓶ボトルとの流れ連通のために前記液瓶ストッパを穿刺し、前記液瓶脚部先端は、前記液瓶アダプタスカートに沿って前記液瓶アダプタスカート縁部に向けて摺動する
アセンブリ。
【請求項８】
請求項７に記載のアセンブリであって、
前記液剤移送デバイスおよび前記液瓶アダプタは、前記液瓶アダプタを前記液瓶に取り付ける際に前記液剤移送デバイスを前記液瓶アダプタに機械的に取り付けるためのスナップ嵌め構成を有する
アセンブリ。
【請求項９】
請求項８に記載のアセンブリであって、
前記スナップ嵌め構成は、長手方向に向けられた管状部材であって、前記離隔カラーに向けられた管状部材を有する前記液瓶アダプタポートによって構成され、
前記離隔カラーは、前記管状部材にスナップ嵌めするための少なくとも１つのスナップ部材を有する
アセンブリ。
【請求項１０】
請求項７ないし請求項９のいずれか一項に記載のアセンブリであって、
前記薬瓶アダプタスカート縁部は、
前記薬瓶アダプタ本体部分に対して外側に広がっており、
前記薬瓶脚部先端を前記薬瓶アダプタスカート縁部に向けて容易に摺動させるための平滑な外部面を備える
アセンブリ。
【請求項１１】
請求項７ないし請求項１０のいずれか一項に記載のアセンブリであって、
前記液瓶アダプタスカート縁部は、
前記液瓶アダプタ本体部分に対して外側に広がっており、
前記液瓶脚部先端を前記液瓶アダプタスカート縁部に向けて容易に摺動させるための平滑な外部面を備える
アセンブリ。
【請求項１２】
請求項７ないし請求項１１のいずれか一項に記載のアセンブリであって、
前記液剤移送アセンブリは、ブリスターパックに包装され、
前記液瓶脚部の各々は、前記ブリスターパックの内部面に当接するための、外側に向けられた少なくとも１つの液瓶脚部突出部を有する
アセンブリ。
【手続補正２】
【補正対象書類名】明細書
【補正対象項目名】０００８
【補正方法】変更
【補正の内容】
【０００８】
【図１】第１の好ましい実施例としての、薬瓶ストッパ穿刺部材および薬瓶アダプタを備える液剤移送アセンブリと、液剤移送アセンブリを長期間保存するためのブリスターパックと、ニードルレス注射器と、薬瓶と、を示す図である。
【図２】図１の液剤移送アセンブリの分解図である。
【図３】初期使用準備状態にある図１の液剤移送アセンブリの、図１のＡ−Ａ線に沿った縦断面図である。
【図４Ａ】図１の液剤移送アセンブリの縦断面図であり、アセンブリは、セットアップ位置にあり、アセンブリにスナップ嵌めする準備がなされた薬瓶と同軸に配置されている。
【図４Ｂ】最初に薬瓶に向けて押し下げられた状態の図１の液剤移送アセンブリの縦断面図である。
【図４Ｃ】薬瓶アダプタが薬瓶に完全にスナップ嵌めされた状態の図１の液剤移送アセンブリの縦断面図である。
【図４Ｄ】薬瓶ストッパ穿刺部材が取り外された状態の図１の液剤移送アセンブリの縦断面図である。
【図５】図１の液剤移送アセンブリの代替の実施例の縦断面図であり、このアセンブリは、液剤アクセスポートとインラインフィルタとを有する薬瓶ストッパ穿刺部材を備えている。
【図６】図１の薬瓶アダプタの別の代替の実施例の縦断面図であり、この薬瓶アダプタは、薬瓶アダプタ頂面に取り付けられた薬瓶アダプタスリーブ部品を備えている。
【図７】第２の好ましい実施例としての、液瓶アダプタおよび薬瓶アダプタを備える液剤移送アセンブリと、液剤移送アセンブリを長期間保存するためのブリスターパックと、ニードルレス注射器と、薬瓶と、液瓶と、を示す図である。
【図８】図７の液剤移送アセンブリの分解図である。
【図９】初期使用準備状態にある図７の液剤移送アセンブリの、図７のＢ−Ｂ線に沿った縦断面図である。
【図１０Ａ】図７の液剤移送アセンブリを示し、このアセンブリは、アセンブリにスナップ嵌めする準備がなされた薬瓶と同軸である。
【図１０Ｂ】薬瓶にスナップ嵌めされた図７の液剤移送アセンブリを示す。
【図１０Ｃ】液瓶にスナップ嵌めする準備がなされた図１０Ｂの組立体を逆さまにした状態を示す。
【図１０Ｄ】液瓶にスナップ嵌めされた図１０Ｂの組立体を示す。
【図１０Ｅ】図１０Ｄの組立体を示し、この組立体は、重力によって液瓶から薬瓶まで液体を移送して薬瓶内で液剤内容物を形成することを可能にするとともに薬瓶から液瓶まで通気させるために逆さまの位置にある。
【図１０Ｆ】液瓶アダプタとその取り付けられた空の液瓶とを取り外した後の、液剤内容物を収容する薬瓶に取り付けられた薬瓶アダプタを示す。
【図１０Ｇ】投与の目的で液剤内容物を薬瓶から吸引するためのニードルレス注射器の使用方法を示す。
【図１１】第３の好ましい実施例としての、液剤移送デバイスと薬瓶アダプタと最初の使用準備状態にある液瓶アダプタとを備える液剤移送アセンブリと、液剤移送アセンブリを長期間保存するためのブリスターパックと、ニードルレス注射器と、薬瓶と、液瓶と、を示す図である。
【図１２】図１１の液剤移送アセンブリの斜視図である。
【図１３】図１１の液剤移送アセンブリの分解図と、液剤移送デバイスの２端部２内腔線形移送スパイクの拡大横断面図である。
【図１４】初期使用準備状態にある図１１の液剤移送アセンブリの図１１のＣ−Ｃ線に沿った縦断面図である。
【図１５Ａ】図１１の液剤移送アセンブリの縦断面図であり、このアセンブリは、アセンブリにスナップ嵌めする準備がなされた薬瓶と同軸である。
【図１５Ｂ】液剤移送アセンブリが薬瓶に向けて最初に押し下げられた状態の図１１の液剤移送アセンブリの縦断面図である。
【図１５Ｃ】液剤移送アセンブリが薬瓶に向けてさらに押し下げられた状態の図１１の液剤移送アセンブリの縦断面図である。
【図１５Ｄ】液剤移送アセンブリが薬瓶に向けて一層さらに押し下げられた状態の図１１の液剤移送アセンブリの縦断面図である。
【図１５Ｅ】薬瓶アダプタが薬瓶に完全にスナップ嵌めされた状態の図１１の液剤移送アセンブリの縦断面図である。
【図１５Ｆ】図１１の液剤移送アセンブリの縦断面図であり、薬瓶と液瓶との両方が、液剤移送デバイスと液瓶アダプタとのスナップ嵌め係合を含んで完全にスナップ嵌めされた状態を示す。
【図１６Ａ】図１１の液剤移送アセンブリを示し、このアセンブリは、アセンブリにスナップ嵌めする準備がなされた薬瓶と同軸である。
【図１６Ｂ】薬瓶にスナップ嵌めされた図１１の液剤移送アセンブリを示す。
【図１６Ｃ】液瓶にスナップ嵌めする準備がなされた図１６Ｂの組立体を逆さまにした状態を示す。
【図１６Ｄ】液瓶にスナップ嵌めされた図１６Ｂの組立体を示す。
【図１６Ｅ】図１６Ｄの組立体を示し、この組立体は、重力によって液瓶から薬瓶まで液体を移送して薬瓶内で液剤内容物を形成することを可能にするとともに薬瓶から液瓶まで通気させるために逆さまの位置にある。
【図１６Ｆ】液剤移送デバイスおよび液剤アダプタと、その取り付けられた空の液瓶と、を取り外した後の、液剤内容物を収容する薬瓶に取り付けられた薬瓶アダプタを示す。
【図１６Ｇ】投与の目的で液剤内容物を薬瓶から吸引するためのニードルレス注射器の使用方法を示す。